(57)【要約】【課題】表示端末を取り付けるときの作業性を向上させた表示端末支持装置を提供する。【解決手段】表示端末支持装置は、表示端末の背面に固定される端末取付板１３と、テーブルの背面板１４に固定されるテーブル取付部材１５と、テーブル取付部材１５にこれを覆うように取り付けられる背面パネル１６とを備えている。端末取付板１３は、テーブル取付部材１５に形成された掛止杆１５ｃにそれぞれ引っ掛ける掛止部材１３ｂを有している。掛止部材１３ｂは、ベース部１３ａから突出して下方に延びる自由端部を有し、その自由端部の幅（縦方向の寸法）だけ、表示端末を掛止杆１５ｃの高さから持ち上げるだけで掛止杆１５ｃに引っ掛けることができるようにした。これにより、ケーブルを先に接続した状態で表示端末をテーブル取付部材１５に取り付けることができ、ケーブルの引き出し量を少なくできるため、その余長処理が不要になる。【選択図】図２
2015200850.tif 000002
【特許請求の範囲】
【請求項１】
表示端末をテーブルに固定する表示端末支持装置であって、
前記表示端末の背面に固定される端末取付板と、
前記テーブルに固定され、前記端末取付板を介して前記表示端末を支持するテーブル取付部材と、
前記テーブル取付部材にこれを覆うように取り付けられる背面パネルと、
を備え、
前記端末取付板は、前記テーブル取付部材に対して掛脱可能な掛止部材を有し、
前記テーブル取付部材は、前記掛止部材を引っ掛け支持する掛止杆を有し、
前記背面パネルは、前記掛止杆に掛止された前記掛止部材を拘束する離脱防止金具を有していることを特徴とする表示端末支持装置。
【請求項２】
前記端末取付板は、前記表示端末に固定される第１ベース部と前記第１ベース部に固定される前記掛止部材とを有し、
前記掛止部材は、前記表示端末を前記テーブル取付部材に取り付ける状態で水平方向に長く、垂直方向にＺ曲げされ、前記第１ベース部に固定されていない側の自由端部が下方に向くように構成されていることを特徴とする請求項１記載の表示端末支持装置。
【請求項３】
前記背面パネルの前記離脱防止金具は、前記掛止部材が掛止状態から脱する方向に隣接して位置する水平突出部を有していることを特徴とする請求項１記載の表示端末支持装置。
【請求項４】
前記テーブル取付部材の前記掛止杆は、前記表示端末を取り付ける側とは反対側にオフセットしていて、前記端末取付板の前記第１ベース部を前記テーブルに固定される前記テーブル取付部材の第２ベース部と同一平面上に配置することを特徴とする請求項２記載の表示端末支持装置。
【請求項５】
前記テーブル取付部材は、前記表示端末を取り付ける状態で前記掛止杆の上部に隣接して、前記掛止部材を前記掛止杆に引っ掛け支持するときに前記掛止部材の前記自由端部が通過する開口部を有していることを特徴とする請求項２記載の表示端末支持装置。
【請求項６】
前記掛止部材は、前記表示端末を前記テーブル取付部材に取り付ける状態で垂直方向に離間して前記第１ベース部に２つ固定されていることを特徴とする請求項２記載の表示端末支持装置。
【請求項７】
前記テーブル取付部材は、前記テーブルに取り付ける状態で上部に設けられた掛止孔と下部に設けられたキャッチ部材とを有し、前記背面パネルは、前記テーブル取付部材に取り付ける状態で上部に設けられて前記掛止孔に掛止される掛止片と下部に設けられて前記キャッチ部材によってキャッチされるストライク部材とを有していることを特徴とする請求項１記載の表示端末支持装置。
【請求項８】
前記テーブル取付部材は、前記テーブルに取り付ける状態で上部に設けられた掛止孔と下部に設けられてねじ穴が形成された定着部材とを有し、前記背面パネルは、前記テーブル取付部材に取り付ける状態で上部に設けられて前記掛止孔に掛止される掛止片と下部に設けられて前記定着部材に螺着されるつまみねじとを有していることを特徴とする請求項１記載の表示端末支持装置。
【請求項９】
前記テーブルは、オークション会場に設置されるテーブルであることを特徴とする請求項１記載の表示端末支持装置。
【発明の詳細な説明】
【技術分野】
【０００１】
本発明は表示端末支持装置に関し、特にオークション会場に設置されるテーブルの背面に固定されていて競りによる取引に必要な情報を表示するための表示端末を取り付けて固定する表示端末支持装置に関する。
【背景技術】
【０００２】
表示端末を支持する装置としては、アーム式のものが一般に知られている（たとえば、特許文献１参照）。このアーム式の支持装置は、これに取り付けられる表示端末を見やすい位置、向きおよび傾斜角度に自由に可変できる機能を有している。このため、このような支持装置は、可変構造が複雑であり、コストが高くなっている。
【０００３】
これに対し、オークション会場で使用される表示端末は、不特定多数の人が利用するものであり、設置台数も多いため、取付姿勢を任意に設定できるようにするというよりは、テーブルに対し確実に固定されていることと、取り付けを如何に容易にできるかが重要である。
【０００４】
図８はオークション会場で採用されている表示端末の例をテーブル正面側から見た斜視図、図９はオークション会場で採用されている表示端末の例をテーブル背面側から見た斜視図である。
【０００５】
図示の例では、１つのテーブル１００に２台の表示端末１０１，１０２が設置されている。表示端末１０１，１０２の間には、オークション参加者の本人確認に使用されるＩＣカードリーダ１０３，１０４および電源コンセント１０５，１０６が設置されている。表示端末１０１，１０２は、テーブル１００の背面板１０７に固定されたテーブル取付部材１０８，１０９および表示端末１０１，１０２の背面に固定された端末取付板１１０，１１１を含む表示端末支持装置によって支持されている。背面板１０７の中央には、制御装置１１２が固定されている。この制御装置１１２は、図示はしていないが、表示端末１０１，１０２および応札用のスイッチとケーブルによって接続されており、また、床を通ってオークションシステムのサーバとケーブルによって接続されている。
【０００６】
表示端末支持装置において、テーブル取付部材１０８，１０９および端末取付板１１０，１１１は、それぞれ同じものであるので、ここでは代表してテーブル取付部材１０８および端末取付板１１０で説明する。端末取付板１１０は、その背面にねじにより固定されるベース部を有し、そのベース部の水平方向両側の縁端部１１０ａが表示端末１０１の背面から離れる方向に突出するようＺ曲げ加工されている。これにより、表示端末１０１の背面とベース部の縁端部１１０ａとの間には、垂直方向に延びる溝部が形成されていることになる。テーブル取付部材１０８は、テーブル１００の天板より上方に突出して平行に延びるレール部材１０８ａを有しており、これらレール部材１０８ａの途中には、端末取付板１１０を受け止めるためのストッパ部材１０８ｂが横架されている。レール部材１０８ａの間隔は、端末取付板１１０の縁端部１１０ａによって形成される溝部の間隔に合わせて設定されている。
【０００７】
表示端末１０１は、端末取付板１１０の縁端部１１０ａにより形成される溝部に、テーブル取付部材１０８のレール部材１０８ａの対向縁部を導入するような方法で、テーブル取付部材１０８の上部から表示端末１０１を落とし込むことで設置される。
【０００８】
図１０は表示端末へのケーブル取り付け状態を示す図、図１１は表示端末の設置とケーブル取り付けの順番を変更した場合の説明図、図１２はテーブルと前席のテーブルとの間隔を説明する図である。
【０００９】
表示端末１０１をテーブル取付部材１０８に設置した後、図１０に示したように、表示端末１０１へのケーブル取り付けが行われる。ここでは、ケーブルとして、電源ケーブル１１３、ＵＳＢ（Universal Serial Bus）ケーブル１１４、ＨＤＭＩ（High-Definition Multimedia Interface）(登録商標）ケーブル１１５の例を示している。これらの電源ケーブル１１３、ＵＳＢケーブル１１４およびＨＤＭＩケーブル１１５は、背面板１０７およびテーブル取付部材１０８に形成された開口部を介してテーブル１００の背面側に引き出され、表示端末１０１の対応するコネクタにそれぞれ接続される。その後、図示はしないが、テーブル取付部材１０８に背面パネルを取り付けて電源ケーブル１１３、ＵＳＢケーブル１１４およびＨＤＭＩケーブル１１５を覆い、背面パネルをテーブル取付部材１０８にねじで固定する。
【００１０】
また、表示端末１０１へのケーブル取り付けは、図１１に示したように、表示端末１０１をテーブル取付部材１０８に設置する前にあらかじめ済ませておくこともある。この場合、電源ケーブル１１３、ＵＳＢケーブル１１４およびＨＤＭＩケーブル１１５は、開口部からテーブル１００の背面側に十分に引き出しておく必要がある。長く引き出された電源ケーブル１１３、ＵＳＢケーブル１１４およびＨＤＭＩケーブル１１５は、表示端末１０１をテーブル取付部材１０８に設置した後に、余分な長さを整える余長処理がなされ、背面パネルによって覆われる。
【００１１】
オークション会場では、階段状に形成された床にテーブル１００が設置されていることが多い。このため、テーブル１００および椅子１１６は、床に固定されており、その設置位置から動かすことができない。一例を挙げれば、図１２に示したように、テーブル１００の奥行きが約４５センチメートル、テーブル１００とテーブル１００との間隔が約９０センチメートルに設定されている。この場合、表示端末１０１を表示端末支持装置に取り付けるには、椅子１１６とその前方側にあるテーブル１００との間のスペースに入って取付作業をすることになる。椅子１１６とその後方側のテーブル１００との間のスペースは、狭いので、作業スペースとして利用することはできない。よって、表示端末１０１の取り付けおよびケーブル接続の作業は、椅子１１６とその前方側にあるテーブル１００との間のスペースにて、テーブル１００越しに行うことになる。
【先行技術文献】
【特許文献】
【００１２】
【特許文献１】特開平１１−３３８５７６
【発明の概要】
【発明が解決しようとする課題】
【００１３】
表示端末１０１をテーブル取付部材１０８に取り付けるときには、端末取付板１１０の縁端部１１０ａの長さの分だけ、端末取付板１１０がテーブル取付部材１０８の頂部よりも高くなるよう表示端末１０１を持ち上げる必要がある。具体的には、表示端末１０１を固定するためのねじ穴の縦および横の間隔は、７５ミリメートルまたは１００ミリメートルに規格化されているので、端末取付板１１０の高さ方向の寸法、すなわち、縁端部１１０ａの長さは、１２０ミリメートル程度ある。そのため、図１１のように、先にケーブル接続を済ませた表示端末１０１をテーブル取付部材１０８に取り付けるには、あらかじめケーブルを十分に引き出しておかなければならず、取り付け後も、余分に引き出したケーブルの余長処理が必要になる。この余長処理は、特にケーブルが太くて硬い場合には、作業が困難で時間がかかってしまうことがある。また、図１０のように、表示端末１０１をテーブル取付部材１０８に取り付けた後にケーブル接続を行う場合には、取り付け作業が容易で余長処理が不要となる反面、ケーブルの接続口が見えにくい位置にあるため、ケーブルを接続するときの作業性に難がある。そのため、表示端末１０１をテーブル取付部材１０８に取り付ける際の工数が多くなり、取付作業に多くの時間を要してしまうという問題点があった。
【００１４】
本発明はこのような点に鑑みてなされたものであり、表示端末を取り付けるときの作業性を向上させた表示端末支持装置を提供することを目的とする。
【課題を解決するための手段】
【００１５】
本発明では上記の課題を解決するために、表示端末をテーブルに固定する表示端末支持装置が提供される。この表示端末支持装置は、表示端末の背面に固定される端末取付板と、テーブルに固定され、端末取付板を介して表示端末を支持するテーブル取付部材と、テーブル取付部材にこれを覆うように取り付けられる背面パネルと、を備えている。ここで、端末取付板は、テーブル取付部材に対して掛脱可能な掛止部材を有し、テーブル取付部材は、掛止部材を引っ掛け支持する掛止杆を有し、背面パネルは、掛止杆に掛止された掛止部材を拘束する離脱防止金具を有していることを特徴とする。
【００１６】
このような表示端末支持装置によれば、表示端末のテーブル取付部材への取り付けは、表示端末の背面に固定された端末取付板の掛止部材をテーブル取付部材の掛止杆に引っ掛けることにより行われる。これにより、表示端末をテーブル取付部材に取り付けるときには、表示端末をその取り付け位置から掛止部材の分だけ僅かに高く持ち上げるだけでよい。
【発明の効果】
【００１７】
上記構成の表示端末支持装置は、表示端末の背面に固定した端末取付板を、テーブルに固定したテーブル取付部材に掛脱可能に取り付ける構成にしたことで、テーブル取付部材に取り付けるときに表示端末を持ち上げるストロークを短くすることができる。これにより、表示端末を高く持ち上げる必要がないので、表示端末に先に必要なケーブルを最小限の長さに引き出して接続しておくことができ、表示端末の取り付け後にはケーブルの余長処理が不要となるという利点がある。また、表示端末の取り付けが容易になったので、表示端末にトラブルが発生したときの表示端末の交換作業においても、迅速に行うことができる。
【図面の簡単な説明】
【００１８】
【図１】オークション会場で採用されている表示端末の例をテーブル正面側から見た斜視図である。
【図２】第１の実施の形態に係る表示端末支持装置を示す分解斜視図である。
【図３】テーブル取付部材への表示端末の取り付け状態を示す部分断面側面図である。
【図４】テーブル取付部材に対して背面パネルを取り付ける前の状態を示す表示端末およびテーブル取付部材の外観斜視図である。
【図５】テーブル取付部材に背面パネルを取り付けるときの前席の椅子との位置関係を示す図である。
【図６】表示端末をテーブル取付部材に取り付けた状態を示す部分断面側面図である。
【図７】第２の実施の形態に係る表示端末支持装置による表示端末の取り付け状態を示す斜視図である。
【図８】オークション会場で採用されている表示端末の例をテーブル正面側から見た斜視図である。
【図９】オークション会場で採用されている表示端末の例をテーブル背面側から見た斜視図である。
【図１０】表示端末へのケーブル取り付け状態を示す図である。
【図１１】表示端末の設置とケーブル取り付けの順番を変更した場合の説明図である。
【図１２】テーブルと前席のテーブルとの間隔を説明する図である。
【発明を実施するための形態】
【００１９】
以下、本発明の実施の形態について、図面を参照して詳細に説明する。
図１はオークション会場で採用されている表示端末の例をテーブル正面側から見た斜視図、図２は第１の実施の形態に係る表示端末支持装置を示す分解斜視図である。
【００２０】
図示の例では、１つのテーブル１０の奥側に２台の表示端末１１，１２が設置され、２人のオークション参加者が同時に利用可能なようにされている。なお、表示端末１１，１２をテーブル１０に固定する表示端末支持装置は、それぞれ同じであるので、以下の説明では、代表して表示端末１１の表示端末支持装置について説明する。
【００２１】
表示端末支持装置は、図２に示したように、表示端末１１の背面に固定される端末取付板１３と、テーブル１０の背面板１４に固定されるテーブル取付部材１５と、テーブル取付部材１５にこれを覆うように取り付けられる背面パネル１６とを備えている。
【００２２】
端末取付板１３は、表示端末１１の背面にねじ止めされるベース部１３ａと、このベース部１３ａに固定された２本の掛止部材１３ｂとを有している。掛止部材１３ｂは、本実施の形態では、Ｚ曲げタイプの金具によってテーブル取付部材１５に引っ掛けるフックを構成している。すなわち、掛止部材１３ｂは、ベース部１３ａに固定される固定部と、この固定部に対して直角に折り曲げられた垂直部と、この垂直部から固定部のある側とは反対側であって固定部とは平行となる方向に直角に折り曲げられた自由端部とを有している。２本の掛止部材１３ｂは、また、その自由端部がそれぞれ同じ方向に向いていて、互いに平行になるように、たとえばスポット溶接にてベース部１３ａに固定されている。端末取付板１３は、表示端末１１の背面に固定されるとき、掛止部材１３ｂの自由端部がそれぞれ表示端末１１を立てたときにその下方となる方向に向けられた状態で固定される。なお、端末取付板１３は、掛止部材１３ｂを上下に並べて２本有しているが、これは、テーブル取付部材１５に取り付けられた表示端末１１がぐらついてしまうことを防止するためのものである。
【００２３】
テーブル取付部材１５は、テーブル１０の背面板１４に固定される縦長のベース部１５ａを有し、このベース部１５ａの上部には、開口部１５ｂと、掛止杆１５ｃと、開口部１５ｄ，１５ｅとが形成されている。開口部１５ｂは、端末取付板１３の掛止部材１３ｂが貫通する水平方向に長い孔であり、垂直方向の長さ（幅）は、掛止部材１３ｂの垂直方向の長さより若干長く形成されている。テーブル取付部材１５は、また、その頂部に、背面パネル１６を引っ掛けるための掛止孔１５ｆが形成され、下端部には、キャッチ部材１５ｇが設置されている。キャッチ部材１５ｇとしては、ボールキャッチ、ローラキャッチ、マグネットキャッチなどを採用することができる。
【００２４】
掛止杆１５ｃは、端末取付板１３の掛止部材１３ｂを掛脱可能に支持するためのものである。掛止杆１５ｃは、また、端末取付板１３のベース部１３ａがテーブル取付部材１５のベース部１５ａと同一平面上に配置できる位置に形成されている。すなわち、掛止杆１５ｃは、端末取付板１３のベース部１３ａをテーブル取付部材１５のベース部１５ａと同一平面上に配置したときに、掛止部材１３ｂの自由端部に近い垂直部を支持できる位置までベース部１５ａから背面側にオフセットされている。
【００２５】
開口部１５ｄは、ケーブル１７（図１参照）をテーブル１０側へ通すためのものである。開口部１５ｄより下方位置にある開口部１５ｅは、背面板１４から出されたケーブル１７を通すためのものであって、背面板１４に形成された図示しない貫通孔の位置にその貫通孔よりも大きな寸法で形成されている。
【００２６】
背面パネル１６は、テーブル取付部材１５を覆うように形成されたカバー部１６ａと、その内側に設けられた離脱防止金具１６ｂと、カバー部１６ａの頂部に形成された掛止片１６ｃと、カバー部１６ａの下端部に設けられたストライク部材１６ｄとを備えている。背面パネル１６は、また、必要に応じて、接続口カバー部１６ｅを備えている。
【００２７】
離脱防止金具１６ｂは、背面パネル１６をテーブル取付部材１５に取り付けたときに、端末取付板１３の掛止部材１３ｂを拘束して、表示端末１１を表示端末支持装置から取り外すことができないようにするためのものである。離脱防止金具１６ｂは、図示の例ではＬ型金具を使用している。すなわち、離脱防止金具１６ｂは、カバー部１６ａに固定される固定部とこの固定部に対して直角に折り曲げられた水平突出部１６ｂａとを有し、固定部は、カバー部１６ａにたとえばスポット溶接にて固定されている。
【００２８】
掛止片１６ｃは、背面パネル１６をテーブル取付部材１５に取り付けるときに、テーブル取付部材１５の掛止孔１５ｆに挿入して引っ掛けるためのものである。掛止孔１５ｆに掛止片１６ｃを引っ掛ける構成にしたことで、背面パネル１６をテーブル取付部材１５に取り付けて固定する、ねじのような固定部材が背面パネル１６を上から見たときに存在しないので、表示端末支持装置に対するいたずら予防になる。
【００２９】
ストライク部材１６ｄは、背面パネル１６をテーブル取付部材１５に取り付けたときに、テーブル取付部材１５のキャッチ部材１５ｇに対応する位置に設けられている。したがって、背面パネル１６をテーブル取付部材１５に取り付けたときに、ストライク部材１６ｄは、キャッチ部材１５ｇによってキャッチされ、これによって、背面パネル１６をテーブル取付部材１５に固定することができる。
【００３０】
接続口カバー部１６ｅは、端末取付板１３の背面にあるケーブル接続口のうち、ケーブル１７が差し込まれていない接続口や表示端末１１の調整用つまみなどがある場合に、それらに容易にアクセスすることができないようにそれらを覆うためのものである。
【００３１】
次に、表示端末支持装置によって表示端末１１をテーブル１０に取り付ける手順について説明する。ここでも、２つの表示端末１１，１２の取り付けに違いはないので、代表して表示端末１１の取り付けについて説明する。
【００３２】
図３はテーブル取付部材への表示端末の取り付け状態を示す部分断面側面図、図４はテーブル取付部材に対して背面パネルを取り付ける前の状態を示す表示端末およびテーブル取付部材の外観斜視図である。図５はテーブル取付部材に背面パネルを取り付けるときの前席の椅子との位置関係を示す図、図６は表示端末をテーブル取付部材に取り付けた状態を示す部分断面側面図である。
【００３３】
表示端末１１をテーブル取付部材１５に取り付ける前に、図１に示したように、端末取付板１３の表示端末１１へのねじ止めと、テーブル取付部材１５の背面板１４へのねじ止めと、ケーブル１７の引き出しとを済ませておく。すなわち、端末取付板１３は、その掛止部材１３ｂの自由端部が表示端末１１を立てたときに下側となる方向に向けられて表示端末１１の背面の所定位置にねじ止めされる。テーブル取付部材１５も、テーブル１０の背面板１４へあらかじめねじ止めされる。また、ケーブル１７も、背面板１４に設けた貫通孔より必要な長さ分だけ引っ張り出し、先端のプラグをテーブル取付部材１５の開口部１５ｄを通しておく。
【００３４】
次に、図１に示したように、テーブル取付部材１５が取り付けられた表示端末１１を、正面の表示画面が下になるようにテーブル１０上に伏せ、この状態で表示端末１１へのケーブル１７の接続を行う。この状態でのケーブル１７の接続は、表示端末１１をテーブル取付部材１５に取り付けた状態で行う場合に比べて、表示端末１１のケーブル接続口を容易に確認することができるので、迅速かつ確実に行うことができる。
【００３５】
ケーブル１７の接続を終えた表示端末１１は、図３に示したように、端末取付板１３の掛止部材１３ｂをテーブル取付部材１５の掛止杆１５ｃに引っ掛けることによってテーブル取付部材１５に取り付けられる。すなわち、表示端末１１は、端末取付板１３の掛止部材１３ｂがテーブル取付部材１５の開口部１５ｂに対向する位置まで持ち上げられ、そのままテーブル取付部材１５の方向に押し出される。すると、端末取付板１３の掛止部材１３ｂは、テーブル取付部材１５の開口部１５ｂを貫通して、図３に示した位置まで進められ、そこで、表示端末１１を下ろすことにより、掛止部材１３ｂが掛止杆１５ｃに引っ掛けられる。このとき、表示端末１１を持ち上げて下ろすときの移動距離は、掛止部材１３ｂの自由端部の幅、すなわち、自由端部の下方への突出量に等しい。この自由端部の下方への突出量は、本実施の形態では、約２０ミリメートルとしてある。
【００３６】
このことは、従来の表示端末支持装置では、端末取付板の高さ方向の寸法が１２０ミリメートルもある場合に比較して、表示端末１１をその取り付け位置よりも僅か２０ミリメートル持ち上げるだけでよいことを意味する。この表示端末１１を持ち上げるストロークが短いことは、ケーブル１７をあらかじめ接続した状態で、表示端末１１をテーブル取付部材１５に取り付けることを可能にし、かつ、ケーブル１７の引き出し量も少ないため、その余長処理を不要にしている。
【００３７】
表示端末１１をテーブル取付部材１５に取り付けた後は、図４に示したように、テーブル取付部材１５にその背後から背面パネル１６を取り付け、これによって、露出しているケーブル１７がテーブル取付部材１５の中に収納されるようになる。この背面パネル１６の取り付けは、図５に示したように、テーブル１０とその前席の椅子１８との間の狭いスペースの中で行われる。ただ、この背面パネル１６の取り付けは、最初に、背面パネル１６の掛止片１６ｃをテーブル取付部材１５の掛止孔１５ｆに引っ掛け、次に、背面パネル１６の下端近傍をテーブル取付部材１５に向けて押し進めるだけでよい。これにより、背面パネル１６のストライク部材１６ｄがテーブル取付部材１５のキャッチ部材１５ｇによりキャッチされ、背面パネル１６がテーブル取付部材１５にワンタッチで固定される。
【００３８】
このとき、図６に示したように、テーブル取付部材１５の中では、背面パネル１６の離脱防止金具１６ｂが端末取付板１３の掛止部材１３ｂを拘束している。すなわち、背面パネル１６の離脱防止金具１６ｂは、その水平突出部１６ｂａが掛止部材１３ｂの垂直部の上部に位置し、掛止部材１３ｂが掛止状態から脱する方向（上方向）への移動を阻止するようにしている。
【００３９】
以上のように、この表示端末支持装置によれば、ドライバーのような工具を必要とすることなく、表示端末１１をテーブル１０に固定することができる。また、ケーブル１７の接続も、表示端末１１をテーブル１０に置いて接続口を確認できる状態で実施できるので、作業性が良く、取り付け工数を大幅に短縮することができる。これにより、表示端末１１をテーブル１０に固定するのに、１台当り、たとえば、２分程度取り付け工数を削減することが見込まれる。このため、座席数が１３５０席もあるような会場の場合、単純に計算して２７００分（４５時間）もの時間節約が可能となり、５人で作業しても、ほぼ１日分の工数削減が可能になる。
【００４０】
図７は第２の実施の形態に係る表示端末支持装置による表示端末の取り付け状態を示す斜視図である。なお、この図７において、図４に示した構成要素と同じまたは均等の構成要素については同じ符号を付してその詳細な説明は省略する。
【００４１】
第２の実施の形態に係る表示端末支持装置は、背面パネル１６をテーブル取付部材１５に固定するのにつまみねじ１９を使用している。つまみねじ１９は、背面パネル１６の下方位置に、たとえば抜け止めワッシャにより脱落防止状態で設置されている。つまみねじ１９は、その頭部側面が滑り止め用にローレット加工されており、作業員が指でねじ止めできるようにしている。つまみねじ１９は、さらに、その頭部上面に一条のすりわりが形成されており、マイナスドライバーによる強固な締付けを可能にしている。
【００４２】
このつまみねじ１９の設置位置に対応するテーブル取付部材１５の位置には、つまみねじ１９を受ける定着部材２０が備えられている。この定着部材２０は、雌ねじ加工されたねじ穴を有するプレートからなり、テーブル取付部材１５のベース部１５ａにスポット溶接にて固定されている。
【００４３】
テーブル取付部材１５への背面パネル１６の固定につまみねじ１９を使用したことにより、背面パネル１６をより確実に固定することができるようになる。また、つまみねじ１９をドライバーで増し締めしておけば、指で緩めることが困難になるので、いたずら防止になる。なお、このつまみねじ１９は、作業のやり難さはあるが、背面パネル１６の下面に設けるようにしてもよい。この場合は、つまみねじ１９を上から見ることができないので、いたずら防止の効果が高くなる。
【００４４】
なお、上記の実施の形態では、端末取付板１３の掛止部材１３ｂは、Ｚ曲げタイプの金具で構成しているが、これに限定されるものではない。たとえば、掛止部材１３ｂは、ＪまたはＵ字形状に曲げられたフック曲げタイプの金具としてもよいし、ベース部１３ａの一部を切り起こすことによって構成してもよい。さらに、掛止部材１３ｂは、縦長の板の先端縁に鉤状のフックを縦に２つ形成し、これをベース部１３ａの左右の位置にそれぞれ固定することで構成してもよい。
【符号の説明】
【００４５】
１０  テーブル
１１，１２  表示端末
１３  端末取付板
１３ａ  ベース部
１３ｂ  掛止部材
１４  背面板
１５  テーブル取付部材
１５ａ  ベース部
１５ｂ  開口部
１５ｃ  掛止杆
１５ｄ，１５ｅ  開口部
１５ｆ  掛止孔
１５ｇ  キャッチ部材
１６  背面パネル
１６ａ  カバー部
１６ｂ  離脱防止金具
１６ｂａ  水平突出部
１６ｃ  掛止片
１６ｄ  ストライク部材
１６ｅ  接続口カバー部
１７  ケーブル
１８  椅子
１９  つまみねじ
２０  定着部材
【図１】
2015200850.tif 000003
【図２】
2015200850.tif 000004
【図３】
2015200850.tif 000005
【図４】
2015200850.tif 000006
【図５】
2015200850.tif 000007
【図６】
2015200850.tif 000008
【図７】
2015200850.tif 000009
【図８】
2015200850.tif 000010
【図９】
2015200850.tif 000011
【図１０】
2015200850.tif 000012
【図１１】
2015200850.tif 000013
【図１２】
2015200850.tif 000014